(57)【特許請求の範囲】
【請求項１】
電気部品を保持する保持手段と、当該保持手段を被固定部材に固定する固定部とを備えた電気部品保持具であって、
前記固定部は、固定部本体と、当該固定部本体に設けられ、かつ前記被固定部材の一方の面に形成された取付け部の当該被固定部材面に対して平行に開口された孔に、前記被固定部材面に対して平行な方向から挿入されるとともに、前記取付け部に着脱自在に係合する係合部と、を備え、
前記係合部は、その先端を支点として前記固定部本体側に向けて斜めに延出し、当該係合部の底面との間に空間を形成する係合爪を有してなり、当該係合爪の前記固定部本体側先端には、段部が突出形成されており、且つ当該係合爪の両側に、前記固定部本体の係合部配設面から水平方向に突出するガイド片を有し、当該ガイド片は、前記孔に挿入される際に前記係合部を案内し、当該係合部が前記取付け部に係合した際には前記取付け部の内壁を押圧し、
前記取付け部は、前記孔を画定する取付け支持部を備え、前記係合爪の先端に、当該取付け支持部の上部内壁に係合・圧接して取付け部を確実に保持する突起が形成されてなり、
前記固定部本体の係合爪側に位置する側面から前記段部までの長さが、前記取付け部の前記係合部挿入方向の長さに相当してなる、
電気部品保持具。
【請求項２】
前記保持手段と前記固定部との間に、所定の間隔をおいて両者を連結する連結部材を設けた請求項１記載の電気部品保持具。
【請求項３】
前記保持手段が前記固定部に一体に形成されてなる請求項１または請求項２記載の電気部品保持具。
【請求項４】
前記係合爪は、前記孔に挿入される際に後退し、前記孔を超えると復元して前記取付け部に係合する請求項１ないし請求項３のいずれか一項に記載の電気保持具。
【請求項５】
前記係合爪は、前記係合部の基端側を支点として弾性的に後退または復元する請求項１ないし請求項４のいずれか一項に記載の電気部品保持具。
【請求項６】
前記係合部は、前記固定部本体から水平方向に延出した係合部本体を備え、前記係合爪は、当該係合部本体の先端から基端方向に向けて鋭角的に上向きに延在し、かつ前記係合部本体の幅方向中央部分から構成されるとともに、前記係合部本体の先端側を支点として弾性的に後退または復元する請求項５記載の電気部品保持具。
【請求項７】
前記固定部本体の係合部配設面に、前記取付け部の外壁を前記係合爪方向に向けて押圧する押圧部を設けた請求項６記載の電気部品保持具。
【請求項８】
前記取付け部は、前記被固定部材に、該被固定部材の表面に対して略垂直方向に突出形成され、かつ当該被固定部材表面との間に、該表面に対して平行な一方向が開放された第１の孔を画定する取付け支持部と、前記被固定部材の前記取付け支持部に対向した位置に貫通形成された第２の孔とを備え、前記第２の孔は、前記取付け支持部の前記開放方向両側を越えて形成されてなる請求項１ないし請求項７のいずれか一項に記載の電気部品保持具。
【請求項９】
復元性を有する弾性部材からなる請求項１ないし請求項８のいずれか一項に記載の電気部品保持具。
【発明の詳細な説明】
【０００１】
【発明が属する技術分野】
本発明は、例えば、シャーシやパネル等の被固定部材に、プリント基板や配線等の電気部品を所定の間隔を隔てて安定して固定する電気部品保持具及びその固定機構に関するものである。
【０００２】
【従来の技術】
従来から、電気機器の内部に設置されるシャーシ、プリント基板及び配線等の電気部品を、絶縁状態で所定の間隔をおいて電気機器の被固定部材（例えば、シャーシやパネル）等に固定し、機器内のスペースの有効利用を図る手段として、様々な電気部材保持具が使用されている。このような電気部材保持具としては、通常、所定の長さを有する支柱の一端に電気部品を保持する保持手段を備え、他端にこれを板材に固定する固定部を備えたものが使用されており、予め被固定部材に開口された固定孔に前記固定部を差し込み固定することで、電気部材保持具を被固定部材に固定している。
【０００３】
具体的には、例えば、図１に示すように、電気部品保持具が固定される被固定部材である基板１１０に、予め貫通形成された固定孔１１２を介して基板１１０の両面を挟持する固定部１３０と、固定部１３０と所定の間隔をおいて対向した位置に形成され、かつ電気部品１１８を所定の方法で保持する保持部１２０とを備えている。
【０００４】
固定部１３０は、基板１１０の電気部品１１８が保持される側の面（以下、この面を「表面」という）を抑止する側断面が弓状をした拘止片１１６と、拘止片１１６の中央から延出した連結板１１３と、連結板１１３の先端に形成され、基板１１０の表面側から固定孔１１２を貫通して基板１１０の裏側（以下、「裏面」という）を抑止する矢じり状の弾性逆止片１１４とから構成されている。すなわち、この固定部１３０は、拘止片１１６と、固定孔１１２を貫通した弾性逆止片１１４とで、基板１１０の両面を挟持することにより基板１１０に固定されるように構成されている。
【０００５】
このタイプの電気部品保持具は、基板１１０の裏面に弾性逆止片１１４が突出した状態となるため、基板１１０の裏面側に、この突出を存在させるためのスペースを設けなければならず、電気機器の小型化が困難であるという問題がある。また、このような突出は、見苦しく、電気機器の外観を著しく損なうとともに、機器内のメンテナンスを行う際に、作業者の手が引かかる等して、作業者が怪我を負ったり、その電気部材保持具を曲げてしまう等の問題もある。このため、この突出長をできるだけ短くすることが望まれている。
【０００６】
しかしながら、この電気部品保持具では、弾性逆止片１１４の固定孔１１２への挿入及び基板１１０の裏面の抑止は、弾性逆止片１１４の弾性復元を利用して行っているため、この部分の長さを短くするには限界がある。
【０００７】
また、基板１１０の裏面に突出する部分の長さをできるだけ短くした従来例として、特公昭６３−５６０５号公報に記載されている電気部品保持具がある。この電気部品保持具は、図２に示すように、基板１１０に予め貫通形成された固定孔１１２より大きな径を有し、基板１１０の裏面を抑止する笠状かつ薄肉な弾性逆止片２１４と、基板１１０の裏面側から固定孔１１２を貫通すると復元し、基板１１０の板厚分だけ弾性逆止片２１４と離間された弾性拘止片２１５と、弾性逆止片２１４と弾性拘止片２１５との間に介在され、固定孔１１２を貫通して弾性拘止片２１５が復元するに伴って固定孔１１２に嵌合する段付部２２６とを備えた固定部２１６と、固定部２１６と所定の間隔をおいて対向した位置に形成され、かつ電気部品１１８を所定の方法で保持する保持部２２０とを備えている。
【０００８】
この電気部品保持具は、固定孔１１２の基板１１０の裏面側から、保持部２２０、弾性逆止片２１４及び段付部２２６を貫通させることで、基板１１０に固定される構造を備えている。したがって、基板１１０の裏面に突出する弾性逆止片２１４は、基板１１０の裏面を抑止する機能のみを備えていればよいため、この部分の長さを極めて短くすることができるという利点がある。
【０００９】
【発明が解決しようとする課題】
しかしながら、特公昭６３−５６０５号公報に記載されている電気部品保持具では、保持部２２０は固定孔１１２を貫通することが可能な形状で構成する必要がある。このため、電気部品保持具の汎用性を低下させるという問題がある。一方、保持部２２０の形状に合わせて固定孔１１２の大きさを変更することも可能であるが、この場合は、弾性拘止片２１６の直径を固定孔１１２の大きさに合わせて大きくしなければならないという問題がある。また、固定孔１１２の大きさも多種に亘ることになるため、固定孔１１２の製造工程が煩雑になるという問題もある。そしてまた、一度固定した電気部品保持具を基板１１０から取り外すことが困難であるという問題もある。
【００１０】
また、弾性逆止片２１４と弾性拘止片２１６との間隔を、基板１１０の板厚に合わせて設定する必要があるため、生産性が低下するという問題もある。これらの改善手段として、特公平７−２３６０８号公報があるが、基板の裏面から完全に突出部を取り除くことができず、図１に示す電気部品保持具の問題点を未だ完全に解消するものではないという問題がある。
【００１１】
さらに昨今、材器類等のリサイクルが提唱され、電気部品保持具の取り外しやすさが課題となっている。従来形状の電気部品保持具は、挿入セット時は一方向からの挿入作業で完了するが、取り外す際には基板（シャーシ）の裏面からの取り外し作業を行う必要があるため、取り外しが困難であるという問題もある。
【００１２】
また、従来の電気部品保持具は、基板に取り付けた際に、基板面に対して垂直な線を軸として回転するため、電気部品を一定の方向に維持して配置させることが困難であった。このため、基板に形成する固定孔の形状を四角等の多角形にし、電気部品保持具の形状もこの固定孔に対応するように形成する等の配慮がなされている。
本発明は、このような従来の問題点を解決することを課題とするものであり、被固定部材の裏面に突出せずに、被固定部材にプリント基板や配線等の電気部品を固定することができ、被固定部材に対する着脱を一方向から簡単に行えるとともに、汎用性に優れた電気部品保持具及びこの電気部品保持具を固定する固定機構を提供することを目的とする。
【００１３】
【発明を解決するための手段】
この目的を達成するため、本発明は、電気部品を保持する保持手段と、当該保持手段を被固定部材に固定する固定部とを備えた電気部品保持具であって、前記固定部は、固定部本体と、当該固定部本体に設けられ、かつ前記被固定部材の一方の面に形成された取付け部の当該被固定部材面に対して平行に開口された孔に、前記被固定部材面に対して平行な方向から挿入されるとともに、前記取付け部に着脱自在に係合する係合部と、を備え、前記係合部は、その先端を支点として前記固定部本体側に向けて斜めに延出し、当該係合部の底面との間に空間を形成する係合爪を有してなり、当該係合爪の両側に、前記固定部本体の係合部配設面から水平方向に突出するガイド片を有し、当該ガイド片は、前記孔に挿入される際に前記係合部を案内し、当該係合部が前記取付け部に係合した際には前記取付け部の内壁を押圧する電気部品保持具を提供するものである。
また、本発明は、電気部品を保持する保持手段と、当該保持手段を被固定部材に固定する固定部とを備えた電気部品保持具であって、前記固定部は、固定部本体と、当該固定部本体に設けられ、かつ前記被固定部材の一方の面に形成された取付け部の当該被固定部材面に対して平行に開口された孔に、前記被固定部材面に対して平行な方向から挿入されるとともに、前記取付け部に着脱自在に係合する係合部と、を備え、前記係合部は、その先端を支点として前記固定部本体側に向けて斜めに延出し、当該係合部の底面との間に空間を形成する係合爪を有してなり、前記取付け部は、前記孔を画定する取付け支持部を備え、前記係合爪の先端に、当該取付け支持部の上部内壁に係合・圧接して取付け部を確実に保持する突起が形成されてなる電気部品保持具を提供するものである。
【００１４】
前記保持手段と前記固定部との間には、所定の間隔をおいて両者を連結する連結部材を設けることができる。また、前記保持手段と前記固定部とを、一体に形成することもできる。
【００１５】
また、前記係合部はその先端に、前記孔に挿入される際に後退し、この孔を超えると復元して前記取付け部に係合する係合爪を備えることができる。
【００１６】
さらにまた、前記係合爪は、前記係合部の基端側を支点として弾性的に後退または復元することができる。
【００１７】
そしてまた、前記係合部には、前記係合爪の両側に、前記固定部本体の係合部配設面から水平方向に突出し、前記孔に挿入される際に前記係合部を案内し、この係合部が前記取付け部に係合した際には前記取付け部の内壁を押圧するガイド片を設けることができる。
【００１８】
前記係合部は、前記固定部本体から水平方向に延出した係合部本体を備え、前記係合爪は、当該係合部本体の先端から基端方向に向けて鋭角的に上向きに延在し、かつ前記係合部本体の幅方向中央部分から構成されるとともに、前記係合部本体の先端側を支点として弾性的に後退または復元するよう構成することができる。
そしてまた、前記固定部本体の係合部配設面に、前記取付け部の外壁を前記係合爪方向に向けて押圧する押圧部を設けることができる。
前記取付け部は、前記孔を画定する取付け支持部を備え、前記係合爪の先端に、当該取付け支持部の上部内壁に係合・圧接して取付け部を確実に保持する突起が形成されていてもよい。
前記取付け部は、前記被固定部材に、該被固定部材の表面に対して略垂直方向に突出形成され、かつ当該被固定部材表面との間に、該表面に対して平行な一方向が開放された第１の孔を画定する取付け支持部と、前記被固定部材の前記取付け支持部に対向した位置に貫通形成された第２の孔とを備え、前記第２の孔は、前記取付け支持部の前記開放方向両側を越えて形成されていてもよい。
【００１９】
また、本発明は、被固定部材に電気部品保持具を取り付けるための取付け部であって、前記被固定部材に、該被固定部材の表面に対して略垂直方向に突出形成され、かつ当該被固定部材表面との間に、該表面に対して平行な一方向が開放された第１の孔を画定する取付け支持部と、前記被固定部材の前記取付け支持部に対向した位置に貫通形成された第２の孔とを備え、前記第２の孔は、前記取付け支持部の前記開放方向両側を越えて形成されてなる取付け部を提供するものである。
【００２０】
また、本発明は、電気部品を保持する電気部品保持具と、この電気部品保持具が固定される被固定部材とを備えた電気部品保持具の固定機構であって、前記被固定部材は、該被固定部材の表面に対して略垂直方向に突出形成され、かつ当該被固定部材表面との間に、該表面に対して平行な一方向が開放された第１の孔を画定する取付け支持部と、前記被固定部材の前記取付け支持部に対向した位置に貫通形成され、かつ前記取付け支持部の前記開放方向両側を越えて形成されてなる第２の孔と、を備え、前記電気部品保持具は、前記被固定部材面に対して平行な方向から前記第１の孔に挿脱自在に挿入されて前記取付け支持部の内壁に圧接されるとともに、当該取付け支持部を前記挿脱方向から着脱自在に係合する係合部を備え、前記係合部は、その先端を支点として前記固定部本体側に向けて斜めに延出し、当該係合部の底面との間に空間を形成する係合爪を有してなる電気部品保持具の固定機構を提供するものである。
そしてまた、電気部品を保持する電気部品保持具と、この電気部品保持具が固定される被固定部材とを備えた電気部品保持具の固定機構であって、前記被固定部材は、該被固定部材の表面に対して略垂直方向に突出形成され、かつ当該被固定部材表面との間に、該表面に対して平行な一方向が開放された第１の孔を画定する取付け支持部と、前記被固定部材の前記取付け支持部に対向した位置に貫通形成され、かつ前記取付け支持部の前記開放方向両側を越えて形成されてなる第２の孔と、を備え、前記電気部品保持具は、前記被固定部材面に対して平行な方向から前記第１の孔に挿脱自在に挿入されて前記取付け支持部の内壁に圧接されるとともに、当該取付け支持部を前記挿脱方向から着脱自在に係合する係合部を備え、前記係合部は、その先端を支点として前記固定部本体側に向けて斜めに延出し、当該係合部の底面との間に空間を形成する係合爪を有してなり、前記取付け部は、前記孔を画定する取付け支持部を備え、前記係合爪の先端に、当該取付け支持部の上部内壁に係合・圧接して取付け部を確実に保持する突起が形成されてなる電気部品保持具の固定機構を提供するものである。
【００２１】
なお、前記取付け部は、例えば前記被固定部材に前記取付け部の幅に対応した間隔を開けて二本の平行な孔を貫通形成する工程と、前記被固定部材の一方の面から前記両孔の間に介在する部分を押し上げてしぼり加工を行う工程と、によって形成することができる。
【００２２】
【発明の実施形態】
次に、本発明の実施の形態（以下、「実施例」という）について図面を参照して説明する。なお、本実施例においては、電気機器のシャーシに対して所定間隔をおいてプリント基板を保持固定する電気部品保持具について説明する。
【００２３】
図３は本発明の実施例に係る電気部品保持具の使用状態を示す一部断面切り欠き斜視図、図４は本実施例に係る電気部品保持具を固定するシャーシの一部を示す斜視図、図５は図４の一部正面図、図６は図５のVI−VI線に沿った断面図、図７は図４の平面図である。
【００２４】
図３及び図７に示すように、シャーシ１０の表面の電気部品保持具１４を固定する位置には、これを固定するための取付け部１６０が形成されている。
【００２５】
この取付け部１６０は、シャーシ１０の表面に対して垂直方向に台形状に突出形成され、かつシャーシ１０の表面との間に、この表面対して平行な一方向が開放された孔１８を画定する取付け支持部１６を備えている。また、シャーシ１０の取付け支持部１６に対向した位置には、取付け支持部１６の幅Ｄ（図６参照）より広い幅（図７参照）を備えた孔２０が貫通形成されている。
【００２６】
取付け支持部１６の内壁（内側）の一部は、図５に示すように、互いに対向した斜面３４となっており、この部分に後に詳述する電気部品保持具１４の固定部２６の所定部分が圧接される。
【００２７】
この取付け部１６０は、以下の方法により形成される。なお。この方法は、取付け部１６０の形成方法の一例を示したにすぎず、これに限定されるものではない。
【００２８】
図８（ａ）は、シャーシ１０に取付け部１６０を形成するための工程の一部を示す平面図、図８（ｂ）は、図８（ａ）のVIIIｂ−VIIIｂ断面図、図８（ｃ）は図８（ａ）のVIIIｃ−VIIIｃ断面図、図９（ａ）は、シャーシに取付け部を形成するための工程の一部を示す平面図、図９（ｂ）は、図９（ａ）のIVｂ−IVｂ断面図、図９（ｃ）は、図９（ａ）のIVｃ−IVｃ断面図である。
【００２９】
先ず、図８（ａ）〜（ｃ）に示すように、シャーシ１０の電気部品保持具１４を固定すべき位置に、取付け部支持部１６の幅Ｄ（図６参照）に相当する間隔を開けて二本の平行な孔２０ａ及び２０ｂを、抜き加工により貫通形成する。次に、図９（ａ）〜（ｃ）に示すように、シャーシ１０の電気部品保持具１４を固定する側の裏面から前記孔２０ａと２０ｂとの間に介在する部分、すなわち、取付け支持部１６となる部分を押し上げてしぼり加工を行う。このとき、しぼり加工に使用する型３００の外側形状を台形状とすることで、図９（ａ）に示すように、取付け支持部１６を型３００に沿った台形形状に加工でき、もって台形状の孔１８を画定することができる。この結果、シャーシ１０の取付け支持部１６に対向した位置に、孔２０ａ及び２０ｂを連通した孔２０が貫通形成されることになる。
【００３０】
このようにして形成された取付け部１６０は、二本の平行な孔２０ａ及び２０ｂを形成した後に取付け支持部１６の成形を行うため、取付け支持部１６の縁にかえり（ばり）が形成されるのを防止することができる。ここで、従来の方法による加工によって取付け支持部１６を形成すると、図１０（この図は、図６に対応する図である）に示すように取付け支持部１６の縁にかえり２２が形成される。このため、この従来の方法で得た取付け支持部１６を実際に使用するにあたっては、かえり２２を削らなければならないという不都合が生じていたが、本発明では、この不都合を生じさせることなく、簡単に最適な取付け支持部１６を形成することが可能となる。
【００３１】
また、この取付け部１６０は、シャーシ１０の電気部品（プリント基板や配線等）を保持する側の面にのみ存在するため、この裏面は、不要な突起物等を存在させることなく、フラットに保つことができる。
【００３２】
次に、本発明の実施例に係る電気部品保持具１４について詳述する。図１１は本実施例に係る電気部品保持具１４の正面図、図１２は図１１の側面図、図１３は図１１の平面図である。なお、本実施例では、その説明上、電気部品保持具がシャーシに固定された際のシャーシ側を下、電気部品側を上と表現する。
【００３３】
図１１ないし図１３に示す電気部品保持具１４は、これをシャーシ１０に固定する固定部２６と、固定部２６上に立設された支柱２８と、支柱２８の上端に形成され、プリント基板を保持する保持部２４とを備えて構成されている。
【００３４】
固定部２６は、略直方体の固定部本体３０と、固定部本体３０の一側面４８に設けられ、前記孔１８に挿入されて取付け部１６０に係合する係合部２６０を備えている。
【００３５】
この係合部２６０は、側面４８の略中央部から延出した係合爪４０と、側面４８の係合爪４０の両側位置から延出したガイド片４２及び４４とを備えて構成されている。
【００３６】
係合爪４０は、電気部品保持具１４がシャーシ１０に固定された際に、シャーシ１０との間に所定の間隔を保つように、固定部本体３０の底面３１より上部に設けられている（図１１参照）。この係合爪４０は、後に詳述するが、この間隔の存在によって、孔１８に挿入された際に、側面４８を支点として後退し（下方に押し下げられ）、孔１８に挿入された後に復元するように構成されている。また、この係合爪４０はその先端部に、段部４６が突出形成されており、この段部４６は係合爪４０の先端に行くにしたがって、序々にその厚さが薄くなるテーパー５０形状を備えている。また、側面４８からこの段部４６まで部分は、一定の厚さを備えており、この上面から固定部本体３０の底面までの距離ｈ（図１２参照）は、前述した取付け支持部１６の内側までの距離Ｈ（図５参照）より若干高くなるように設計されている。一方、側面４８から段部４６までの長さｄ（図１２参照）は、前述した取付け支持部１６の幅Ｄ（図６参照）に相当するよう設計されている。
【００３７】
ガイド片４２及び４４は、固定部本体３０の側面４８であって、係合爪４０の両側に、係合爪４０とある程度の間隔をおいて設けられている。このガイド片４２及び４４は、固定部本体３０の縁よりやや内側に設けられ、ガイド片４２及び４４と、固定部本体３０の縁との間となる面４８ａ及び４８ｂを形成している。なお、このガイド片４２及び４４は、係合爪４０を挟んで対象な形状となっているため、ここでは、両者をまとめて説明する。
【００３８】
ガイド片４２（４４）の先端部は、係合爪４０の先端部と同じ位置まで延出している。このガイド片４２（４４）も係合爪４０と同様の部材から形成されており、前記係合爪４０との間隔の範囲内で、側面４８を支点として係合爪４０に接近及び隔離することができるようになっている。ガイド片４２の外側の側面端からガイド片４４の外側の側面端までの距離ｌ（図１１参照）は、取付け支持部１６の下端間の距離Ｌ（図５参照）より若干長くなるように設計されている。ガイド片４２（４４）の係合爪４０と離れた側面には、上から下に向けて序々に外側（係合爪４０と離れる方向）に傾斜したテーパー３６（３８）が形成されている。このテーパー３６（３８）は、取付け支持部１６の内側に形成された斜面３４（図５参照）と対応した形状に設計されている。また、このガイド片４２（４４）は、後に詳述するが、孔１８に挿入される際にガイドの役割を果たし、孔１８にっ挿入された後は、斜面３４に圧接される。また、ガイド片４２（４４）の先端には、ガイド片４２（４４）の外側の側面が係合爪４０に向けて序々に接近する方向に傾くテーパー５２（５４）が形成されている。
【００３９】
前記保持部２４は、支柱２８の上端に設けられた円形状のフランジ６１と、フランジ６１の中央部上面に形成され、フランジ６１より小さな径を備えた嵌合柱６３と、嵌合柱６３の中央部上面から上部に延出した支柱６７と、支柱６７の先端に設けられかつ斜め下方に延びる一対の弾性係止片６９と、フランジ６１上にて外開きのハの字形に両側にフランジ６１の外周を越えて延出する弾性支持片６０ａ及び６０ｂと、を備えている。
【００４０】
前記支柱６７と一対の弾性係止片６９とにより、矢じり形の差し込み脚５６を形成しており、この部分がプリント基板１２に開口された取付け孔５８を貫通する。ここで、前記弾性係止片６９は、復元性を有する部材から形成されており、この上部を支点としてその両自由端が互いに接近または離間する方向に動くことができるようになっている。また、弾性係止片６９の自由端は、差し込み脚５６が貫通したプリント基板１２（保持部２４に保持されるプリント基板１２）の一方の面に圧接する平坦な自由端６５となっている。
【００４１】
一方、前記弾性支持片６０ａ及び６０ｂは、差し込み脚５６が貫通したプリント基板１２の他方の面に圧接するように形成されている。この弾性支持片６０ａ及び６０ｂも弾性係止片６９と同様の部材から形成されており、支柱６３側端部を支点として上下に若干回動するようになっている。このため、プリント基板１２の厚さの違いにもある程度対応可能である。
【００４２】
したがって、プリント基板１２の取付け孔５８に差し込み脚５６を貫通する際には、この弾性係止片６９は互いに近づく方向に変形するため、差し込み脚５６を取付け孔５８に簡単に挿入することができる。一方、差し込み脚５６が取付け孔５８を貫通した後は、弾性係止片６９は、前記変形を復元し、その自由端６５がプリント基板１２の表面に圧接するようになる。また、このプリント基板１２の他方の表面は、弾性支持片６０ａ及び６０ｂに支持される。このようにして、プリント基板１２は確実に保持される。また、保持部２４は、支柱２８によりシャーシ１０と所望の間隔をもって配設される結果、プリント基板１２もシャーシ１０と所望の間隔を持って保持される。
【００４３】
次に、電気部品保持具１４をシャーシ１０へ取り付ける際の動作を説明する。
【００４４】
先ず、電気部品保持具１４の固定部２６の先端、すなわち係合爪４０、ガイド片４２及び４４をシャーシ１０の取付け部１６０の孔１８に挿入する。この時、係合爪４０の先端にはテーパー５０が、ガイド片４２及び４４の先端にはテーパー５２及び５４が形成されているとともに、係合爪４０は側面４８を支点として下方に、ガイド片４２及び４４は、側面４８を支点として互いに近づく方向に変形するため、これらを簡単に孔１８に挿入することができる。また、この時、ガイド片４２及び４４のテーパー３６及び３８が、取付け支持部１６の内側の斜面３４を摺動し、挿入時のガイドの役割を果たす。
【００４５】
次に、取付け支持部１６が段部４６と側面４８との間に位置するまで係合爪４０、ガイド片４２及び４４を挿入する。この状態で、係合爪４０は、前記変形が復元されて取付け支持部１６の上部内壁に圧接される。これは、この状態であっても、係合爪４０の上面から固定部本体３０の底面までの距離ｈ（図１２参照）は、前述した取付け支持部１６の内壁までの距離Ｈ（図５参照）より若干高くなるように設計されているためである。
【００４６】
また、取付け支持部１６は、係合爪４０の段部４６と固定部本体３０の側面４８に挟持される。一方、ガイド片４２及び４４も前記変形が復元され、テーパー３６及び３８が、取付け支持部１６の斜面３４に圧接される。これは、この状態であっても、ガイド片４２の外側の側面端からガイド片４４の外側の側面端までの距離ｌ（図１１参照）は、取付け支持部１６の下端間の距離Ｌ（図５参照）より若干長くなるように設計されているためである。
【００４７】
このようにして、電気部品保持具１４は、シャーシ１０に簡単かつ確実に、安定した状態で固定される。したがって、電気部品保持具１４は、がたついたり、シャーシ１０の表面に対して垂直な線を軸として回転したりすることがない。このため、電気部品を常に一定の配設方向に維持することができる。
【００４８】
一方、電気部品保持具１４を取付け部１６０から取り外す場合は、係合爪４０の段部４６を下方向に押しながら、電気部品保持具１４全体を抜脱する方向に引けば、ガイド片４２及び４４が互いに近づく方向に変形して、電気部品保持具をシャシー１０から簡単に取り外すことができる。このため、材器類のリサイクルを行うために電気部品保持具をシャーシ１０から取り外しやすいという効果も得られる。
【００４９】
以上説明したように、本実施例に係る電気部品保持具１４は、シャーシ１０の裏面に突出部をなんら形成することなく、シャーシ１０に確実に固定することができる。この結果、従来のように、シャーシ１０の裏面に突出部を存在させるための空間を必要としないので、電気機器の小型化をはかることができる。また、突起により電気機器の外観を著しく損なうこともなく、さらに機器内のメンテナンスを行う際に、作業者の手が引かかる等して、作業者が怪我を負ったり、その電気部材保持具を曲げてしまう虞も解決できる。
【００５０】
さらに、保持部２４の形状を自由に設定できるとともに、シャーシ１０の板厚を考慮する必要がないため、電気部品保持具１４の汎用性を向上することができる。
【００５１】
次に、本発明に係る他の実施例について、図面を参照して説明する。なお、以下に示す本実施例では、前述した実施例と同様の部分については、同一の符号を付し、その説明は省略する。
【００５２】
図１４に示す電気部品保持具は、プリント基板を保持するものある。この電気部品保持具の保持部３２４は、支柱２８上に形成された円形状のフランジ１６６と、フランジ１６６上に形成された円錐状の凸部１６９と、支柱２８の長手方向略中央部から上向き延びたアーム部材１６４と、アーム部材１６４と同一の部材からなるとともに、アーム部材１６４の上端に形成され、フランジ１６６に当接する係合操作部１６２とを備えている。
【００５３】
この保持部３２４にプリント基板を保持する際には、先ず、係合操作部１６２を凸部１６９と離間する方向に倒してフランジ１６６の係合操作部１６２と当接していた部分を開放する。次に、プリント基板に開口されている取付け孔（図示せず）に凸部１６９を貫通させ、プリント基板の一部をフランジ１６６上に載置する。その後、係合操作部１６２を戻してプリント基板の上面を押圧する。
【００５４】
一方、保持部３２４からプリント基板を取り外す際には、係合操作部１６２を再び凸部１６９と離間する方向に倒し、プリント基板を凸部１６９から抜き出せばよい。
【００５５】
図１５に示す電気部品保持具は、断面円形の配線ケーブルを保持するものである。この電気部品保持具は、固定部２６の上に支柱２８を介さずに直接保持部３２５を設けたものである。この固定部２６と保持部３２５は、一体に形成することができる。
【００５６】
この保持部３２５は、固定部２６上に設けられたＣ字状の弾性帯１７１と、固定部２６上の、弾性帯１７１の自由端と係合可能な位置に形成された係合部１７０とを備えている。
【００５７】
前記弾性帯１７１は、その外側中程に、クランプ操作片１７２が突出形成されてなり、自由端には鉤形係合歯１７３が設けられている。
【００５８】
前記係合部１７０は、弾性帯１７１の自由端と対向する位置に設けられ、弾性帯１７１の自由端を押圧可能な押圧片１７４と、この押圧片１７４と所定の間隔を置いて設けられた係合爪１７５とを備えている。そして、この両者の間に介在された間隔が、係合片１７０を挿入可能な挿入溝１６８となっている。
【００５９】
この保持部３２５にケーブルを保持する際には、先ず、所望の本数のケーブル（ケーブル束）を帯状帯１７１に挿入した後、クランプ操作片１７２を下向きに押さえて係合爪１７５を外側に押し拡げながら、帯状帯１７１の自由端を挿入溝１６８に圧入するとともに、鉤形係合歯１７３を係合爪１７５へ係合してケーブル束を固定する。
【００６０】
一方、保持部３２５からケーブル束を取り外す際には、係合爪１７５を下方へ押し、挿入溝１６８を押し拡げるようにして鉤形係合歯１７３を係合爪１７５から離脱させ、弾性帯１７１の自由端を挿入溝１６８から抜き出せばよい。
【００６１】
図１６に示す電気部品保持具は、断面長方形のフラットケーブルを保持するものである。この電気部品保持具は、固定部２６の上に支柱２８を介さずに直接保持部３２６を設けたものである。この固定部２６と保持部３２６は、一体に形成することができる。
【００６２】
この保持部３２６は、固定部２６上に設けられた略コ字状の弾性体１８１と、固定部２６上の、弾性体１８１の自由端と係合可能な位置に形成された係合部１８０とを備えている。
【００６３】
前記弾性体１８１は、その長手方向中程に、弾性体１８１を略９０度内側に折り曲げることができるように切り欠き１８４が設けられている。また、弾性体１８１の自由端には鉤形係合歯１８３が設けられている。
【００６４】
前記係合部１８０は、弾性体１８１の自由端を貫通挿入してする挿入孔１８８と、挿入孔１８８に貫通挿入された自由端の鉤形係合歯１８３と係合する係合片１８９とを備えている。
【００６５】
この保持部３２６にケーブルを保持する際には、先ず、所望の本数のケーブル（ケーブル束）を帯状体１８１に挿入した後、切り欠き１８４を支点して帯状体１８１を略９０度内側に折り曲げ、帯状体１８１の自由端を係合部１８０に接近させる。次に、帯状帯１８１の自由端を挿入孔１８８に挿入するとともに、鉤形係合歯１８３を係合片１８９に係合してケーブル束を固定する。
【００６６】
一方、保持部３２６からケーブル束を取り外す際には、係合片１８９と鉤形係合歯１８３との係合を解除して、弾性体１８１の自由端を挿入孔１８８から抜き出せばよい。
【００６７】
図１７に示す電気部品保持具は、断面長方形のフラットケーブルを保持するものである。この電気部品保持具は、固定部２６の上に支柱２８を介さずに直接保持部３２７を設けたものであり、基本的に一本のフラットケーブルを保持するものである。この固定部２６と保持部３２７は一体に形成することができる。
【００６８】
この保持部３２７は、固定部２６上に立設されたアーム１９２と、アーム１９２の先端に設けられた下向き円弧状の弾性体１９０とを備えている。この弾性体１９０は、その略中央部が固定部２６の上面に当接するか、あるいは固定部２６の上面との間に僅かな隙間をおいて配設されており、その弾性力によって弾性体１９０の略中央部と固定部２６上面との間に形成される隙間を調整可能となっている。
【００６９】
この保持部３２７にフラットケーブルを保持する際には、弾性体１９０の自由端を上方に押し上げて、固定部２６上面と弾性体１９０との間の隙間を押し拡げ、この隙間にフラットケーブルを挿入する。次いで、弾性体１９０の自由端を離すと、弾性体１９０はその復元性により固定部２６に向けて戻り、フラットケーブルを押圧固定する。
【００７０】
一方、保持部３２７からフラットケーブルを取り外す際には、弾性体１９０の自由端を上方に押し上げて、固定部２６上面と弾性体１９０との間の隙間を押し拡げ、この隙間に挿入されているフラットケーブルをここから抜き出せばよい。
【００７１】
図１８に示す電気部品保持具は、断面略四角形のケーブルを保持するものである。この電気部品保持具は、固定部２６の上に支柱２８を介さずに直接保持部３２８を設けたものである。この固定部２６と保持部３２８は、一体に形成することができる。
【００７２】
この保持部３２８は、略ロ字状の上部中央を開口した形状を備えた弾性体１９８からなり、この弾性体１９８の両端には、内側に向けて斜めに突出した突片１９７及び１９９が形成されている。
【００７３】
この保持部３２８にケーブルを保持する際には、弾性体１９８を開口部１９６が押し拡がる方向に若干倒しながら、保持部３２８上部中央に開口された開口部１９６からケーブルを挿入する。この時、突片１９７はその弾性によって両側に弾性変形し、開口部１９６をさらに押し拡げるため、ケーブルを簡単に挿入することができる。また、ケーブルの挿入後は、突片３２８が復元し、開口部１９６を狭くするため、保持したケーブルがこの部分から外れることを防止できる。
【００７４】
一方、保持部３２８からケーブルを取り外す際には、弾性体１９８を開口部１９６が押し拡がる方向に若干倒して、保持部３２８上部中央に開口された開口部１９６を押し拡げ、ここからケーブルを抜き出せばよい。
【００７５】
図１９に示す電気部品保持具は、断面円形のケーブルを保持するものである。この電気部品保持具は、固定部２６の上に支柱２８を介さずに直接保持部３２９を設けたものであり、３本のケーブルを各々個別に保持するものである。この固定部２６と保持部３２９は、一体に形成することができる。
【００７６】
この保持部３２９は、固定部２６上に、上部が開口された略Ｃ字状の弾性体２９２ａ、２９２ｂ及び２９２ｃを並列させて設置したものである。この弾性体２９２ａ〜２９２ｃは、各々その両端に外側に向けて広がるテーパー２９３ａ、２９３ｂ及び２９３ｃを備えている。
【００７７】
この保持部３２９にケーブルを保持する際には、弾性体２９２ａ〜２９２ｃの上部両端に形成されたテーパー２９３ａ、２９３ｂ及び２９３ｃに、ケーブルを接触させ、このまま下に向けて押圧し、弾性体２９２ａ〜２９２ｃの上部に開口された開口部２９０ａ〜２９０ｃにこれを押し込める。この時、弾性体２９２ａ〜２９２ｃは、その弾性力によって、開口部２９０ａ〜２９０ｃを押し拡げる方向に弾性変形するため、ケーブルを簡単に挿入することができる。また、ケーブルの挿入後は、弾性体２９２ａ〜２９２ｃが復元し、開口部２９０ａ〜２９０ｃを狭くするため、保持したケーブルがこの部分から外れることを防止できる。
【００７８】
一方、保持部３２９からケーブルを取り外す際には、これらを上向きに持ち上げれば、弾性体２９２ａ〜２９２ｃは、その弾性力によって開口部２９０ａ〜２９０ｃを押し拡げるため、簡単に取り外すことができる。
【００７９】
なお、この実施例は、弾性体の設置数を任意に設定することができることは勿論である。
【００８０】
図２０に示す電気部品保持具は、比較的多数のケーブルを保持するものである。
【００８１】
この電気部品保持具は、固定部２６の上に支柱２８を介さずに直接保持部３３０を設けたものである。この固定部２６と保持部３３０は、一体に形成することができる。
【００８２】
この保持具３３０は、固定部２６上に設けられた支持本体３０１と、支持本体３０１上に設けられた弾性帯３０２とを備えている。この弾性帯３０２は、長手方向に各々独立した複数の貫通孔３０３が並設されている。一方、支持本体３０１には、前記貫通孔３０３に対応した大きさの係合凸部３０４が設けられており、この係合凸部３０４に貫通孔３０３のいずれかを挿入して両者を係合させる構成となっている。
【００８３】
この保持部３３０にケーブルを保持する際には、先ず、弾性帯３０２で所望数のケーブルを巻き込み、その束の径に併せて最適な位置にある貫通孔３０３を係合凸部３０４に挿入し、両者を係合させればよい。
【００８４】
一方、保持部３３０からケーブルを取り外す際には、係合凸部３０４と貫通孔３０３との係合を解き、係合凸部３０４から貫通孔３０３を抜けばよい。
【００８５】
図２１に示す電気部品保持具は、電気機器の脚として使用するものである。この電気部品保持具は、保持部の変形として、固定部２６に電気機器の脚となる部分３３１を直接設置したものである。この脚部３３１の固定部２６側の面３０５は、固定部２６の底面と同一平面上に位置するように構成されている。この電気部品保持具は、図２２に示すように、電気機器の外側底面側に面３０５が当接するようにして設けられる。
【００８６】
また、本実施例に係る電気部品保持具は、図２３に示すように、固定部２６の電気部品保持具の挿脱方向に保持部を設けてもよい。この場合には、図２３に示すように、保持具がシャーシ１０に嵌め込まれるようにすることもできる。
【００８７】
図２４ないし図３１に示す電気部品保持具は、図１６に示す電気部品保持具と固定部の構造のみが異なるものである。したがって、ここでは、保持部には図１６と同一の符号を付してその詳細な説明は省略し、固定部の構造についてのみ詳細に説明する。なお、本実施例に係る電気部品保持具も、前述した実施例と同様に復元性を有する弾性部材から形成されている。
【００８８】
図２４は正面図、図２５は左側面図、図２６は右側面図、図２７は背面図、図２８は平面図、図２９は底面図、図３０は図２４のXXX−XXX線に沿った断面図、図３１は図２７のXXXIーXXXI線に沿った断面図である。
【００８９】
図２６ないし図３１に示す電気部品保持具は、固定部１２６と、固定部１２６の上部に一体に形成された保持部３２６とから構成されている。
【００９０】
固定部１２６は、略直方体の固定部本体３０９と、固定部本体３０９の一側面４８に設けられ、前記取付け部１６０の孔１８を貫通可能に形成された係合部４００とを備えている。
【００９１】
固定部本体３０９は、係合部４００の略中央部には、挿脱方向に貫通した貫通孔４０６が形成されている。また、固定部本体３０９の側面４８であって、貫通孔４０６の両側には、取付け部１６０の取付け支持部１６の外壁を係合部４００の先端に向けて押圧する押圧部４０７Ａ及び４０７Ｂが形成されている。
【００９２】
この押圧部４０７Ａ及び４０７Ｂは、取付け支持部１６の形状に沿って斜めに配置された略正方形を有しており、その上部一辺４０７Ｃ及び４０７Ｄを残して固定部本体３０９の側面４８をコ字状に切り抜いて形成されている。この押圧部４０７Ａ及び４０７Ｂは、上部一辺４０７Ｃ及び４０７Ｄからその先端側に向けて、側面４８に対して若干、係合部４００の挿入方向に向けて突出している。押圧部４０７Ａ及び４０７Ｂの後ろ側には、特に図２７に示すように、押圧部４０７Ａ及び４０７Ｂの形状に対応した孔４０８Ａ及び４０８Ｂが開口されている。この孔４０８Ａ及び４０８Ｂの存在によって、押圧部４０７Ａ及び４０７Ｂの厚さが薄くなるように調整される。この形状から、押圧部４０７Ａ及び４０７Ｂは、一辺４０７Ｃ及び４０７Ｄを支点として「ばね」の役割を果たすことになる。したがって、側面４８側に配設された取付け支持部１６の外壁を係合部４００の挿入方向に向けて押圧し、取付け支持部１６を確実に保持することになる。
【００９３】
係合部４００は、固定部本体３０９の一側面４８に対し垂直方向に突出形成された略板状を備えており、その先端部４０１には、この係合部４００の挿入方向中心線に向けて収束するテーパー４０２Ａ及び４０２Ｂが形成されている。さらにまた、係合部４００の両側には、取付け部１６０の孔１８の斜面３４の形状に相補した形状のテーパー４０３Ａ及び４０３Ｂが、テーパー４０２Ａ及び４０２Ｂにそれぞれ連続して形成されている。これらの、テーパー４０２Ａ、４０２Ｂ、４０３Ａ及び４０３Ｂの存在により、係合部４００を取付け部１６０の孔１８に簡単に挿入させることができる。
【００９４】
また、係合部４００の中央部には凹部４０５が形成されており、この凹部４０５は、貫通孔４０６に連通されている。この凹部４０５の存在により、後に詳細する係合爪４１０と、係合部４００の底面４１１との間に、係合爪４１０を先端部４０１を支点として下方に押し下げるために最適な空間を形成することができる。
【００９５】
係合部４００の先端部４０１の中央部には、この部分を支点として固定部本体３０９側に向けて斜め上方に延出した係合爪４１０が形成されている。この係合爪４１０の先端は、取付け支持部１６の上部外壁の位置まで延出しており、先端部には突起４１２が形成されている。この突起４１２は、取付け支持部１６の上部内壁に係合・圧接して取付け部１６を確実に保持するものである。ここで、係合爪４１０と係合部４００の底面４１１との間には、特に図３０に示すように空間が形成されている。この空間の存在により、係合爪４１０を、その先端部４０１を支点として底面４１１に向けて押し下げることができる。また、この押し下げる力から開放した際には、係合爪４１０は復元して元の状態に戻ることができる。さらに、この係合爪４１０は、先端部４０１が支点となって押し下げられるため、底面４１１も若干弾性変形する結果、さらに係合爪４１０を下方に押し下げやすくなる。この係合爪４１０の底面４１１に対し略垂直方向の動きにより、係合部４００を取付け部１６０の孔１８に簡単に挿入でき、挿入後は、係合爪４１０の復元により元の位置に戻り、係合爪４１０の端面が取付け支持部１６の外壁を、突起４１２が取付け支持部１６の上部内壁を支持し、取付け支持部１６は確実に保持される。この時、前述した押圧部４０７Ｃ及び４０７Ｄも、取付け支持部１６の外壁を押圧するため、取付け支持部１６は、より一層確実に固定される。
【００９６】
次に、この電気部品取付具をシャーシ１０へ取り付ける際の動作を説明する。先ず、電気部品保持具の係合部４００の先端部４０１を取付け部１６０の孔１８に挿入する。この時、テーパー４０２Ａ及び４０２Ｂの存在と、孔１８の上部内壁に当接した係合爪４１０が先端部４０１を支点として下方に押し下げられること、さらに、テーパー４０３Ａ及び４０３Ｂが、取付け支持部１６の内側の斜面３４を摺動するため、係合部４００を簡単に孔１８に挿入することができる。
【００９７】
その後、取付け支持部１６が、係合爪４１０の先端と、固定部本体３０９のと側面４８との間に位置するまで係合部４００を挿入する。この状態で、係合爪４１０は、今まで下方に押し下げられていた状態から開放され、弾性変形が復元されて元の位置に戻り、取付け支持部１６の上部外壁を圧接するとともに、突起４１２が取付け支持部１６の状ウ内壁を支持・圧接する。また、押圧部４０７Ａ及び４０７Ｂが取付け支持部１６の外壁を押圧する。したがって、固定部１２６は、取付け支持部１６を、係合部４００の挿脱方向両側から確実に支持する結果、取付け部１６０に確実に固定される。このため、シャーシ１０が振動しても、電気部品保持具ががたついたり、取付け部１６０から落ちたりすることがない。
【００９８】
一方、この電気部品保持具をシャーシ１０から取り外す際には、係合爪４１０を下方に押し下げながら、固定部１２６を脱方向に移動させるだけで簡単に取り外すことができる。
【００９９】
なお、この実施例では、係合部４００の先端部４０１にテーパー４０２Ａ及び４０２Ｂを形成した構造について説明したが、テーパー４０２Ａ及び４０２Ｂは必ずしも形成しなくてもよい。
【０１００】
また、この実施例では、係合部４００の両側にテーパー４０３Ａ及び４０３Ｂを形成したが、これに限らず、これらは必ずしも形成しなくてもよい。また、本実施例では、孔１８の形状を台形状にしたため、係合部４００の両側に、孔１８の斜面３４に相補したテーパー４０３Ａ及び４０３Ｂを形成したが、これに限らず、孔１８の形状によっては、テーパー４０３Ａ及び４０３Ｂを形成しなくてもよい。
【０１０１】
なお、この実施例では、固定部１２６と図１６に記載した保持部３２６とを組み合わせた構造の電気部品保持具について説明したが、これに限らず、固定部１２６は、図１１、図１４〜図２１に記載の保持部と組み合わせてもよいことは勿論である。
【０１０２】
また、固定部１２６と前述した種々の保持部とを一体に形成することで、電気部品保持具の強度をさらに向上することができる。
【０１０３】
そしてまた、この実施例に係る電気部品保持具も、図２３に示すような形態に応用することができる。
【０１０４】
また、本発明は、前述した実施例で説明した形状の取付け部の他、図３２に示すように、円弧形状の取付け支持部１６ａを備えた取付け部１６０Ａや、図３３に示すような略三角形の取付け部１６ｂを備えた取付け部１６０Ｂのように、その形状は、所望により決定してよい。なお、この場合には、電気部品保持具の固定部の形状を、各取付け部に併せて設計することは勿論である。
【０１０５】
そしてまた、本実施例では、電気部品として、プリント基板、ケーブル等を挙げたが、これに限らず、保持部の形状を変更することにより、その他の電気部品を保持することもできる。
【０１０６】
【発明の効果】
以上説明してきたように、本発明によれば、被固定部材の裏面に電気部品保持具の一部を突出させることなく、被固定部材にプリント基板や配線等の電気部品を簡単な操作で着脱自在に安定して固定することができる。この結果、従来のように、被固定部材の裏面に突出部を存在させるための空間を必要としないので、電気機器の小型化を図ることができる。また、突起により電気機器の外観を著しく損なうこともないため、電気機器の商品価値を高めることもできる。さらに、前記突出がないため、機器内のメンテナンスも安全に行えるとともに、電気部材保持具を曲げてしまう等の問題も解決できる。
【０１０７】
さらに、保持部の形状を自由に設定できるとともに、被固定部材の板厚を考慮する必要がないため、電気部品保持具の汎用性を大幅に向上することができるという効果も得られる。
【０１０８】
そしてまた、本発明に係る電気部品保持具は、被固定部材に簡単に取付けることができるとともに、簡単に取り外すことができるため、リサイクルに対する適応性も向上することができる。また、被固定部材に取り付けた際に、がたついたり、被固定部面に対して垂直な線を軸として回転することがないため、電気部品を一定の方向に維持して配置させることができる。
【０１０９】
また、固定部と保持部とを一体に形成することにより、一層強度が増した電気部品保持具を提供することができる。
【図面の簡単な説明】
【図１】従来の電気部品保持具を示す一部断面切り欠き正面図である。
【図２】従来の電気部品保持具を示す一部断面切り欠き正面図である。
【図３】本実施例の実施の形態に係る電気部品保持具の使用状態を示す一部断面切り欠き斜視図である。
【図４】本実施例に係る電気部品保持品を固定するシャーシの斜視図である。
【図５】図４に示すシャーシの一部を示す正面図である。
【図６】図５のVI−VI線に沿った断面図である。
【図７】図４に示すシャーシの平面図である。
【図８】（ａ）本発明の実施例に係るシャーシに取付け部を形成するための工程の一部を示す平面図である。
（ｂ）図８（ａ）のVIIIｂ−VIIIｂ断面図である。
（ｃ）図８（ａ）のVIIIｃ−VIIIｃ断面図である。
【図９】（ａ）本発明の実施例に係るシャーシに取付け部を形成するための工程の一部を示す平面図である。
（ｂ）図９（ａ）のIVｂ−IVｂ断面図である。
（ｃ）図９（ａ）のIVｃ−IVｃ断面図である。
【図１０】シャーシの取付け部にかえり（ばり）がある場合の図６に対応する図である。
【図１１】本発明の実施例に係る電気部品保持具の正面図である。
【図１２】本発明の実施例に係る電気部品保持具の側面図である。
【図１３】本発明の実施例に係る電気部品保持具の平面図である。
【図１４】本発明の他の実施例に係る電気部品保持具の斜視図である。
【図１５】本発明の他の実施例に係る電気部品保持具の斜視図である。
【図１６】本発明の他の実施例に係る電気部品保持具の斜視図である。
【図１７】本発明の他の実施例に係る電気部品保持具の斜視図である。
【図１８】本発明の他の実施例に係る電気部品保持具の斜視図である。
【図１９】本発明の他の実施例に係る電気部品保持具の斜視図である。
【図２０】本発明の他の実施例に係る電気部品保持具の斜視図である。
【図２１】本発明の他の実施例に係る電気部品保持具の斜視図である。
【図２２】本発明の他の実施例に係る電気部品保持具の側面図である。
【図２３】本発明の他の実施例に係る電気部品保持具の斜視図である。
【図２４】  本発明の他の実施例に係る電気部品保持具の正面図である。
【図２５】図２４の左側面図である。
【図２６】図２４の右側面図である。
【図２７】図２４の背面図である。
【図２８】図２４の平面図である。
【図２９】 図２４の底面図である。
【図３０】図２４のXXX−XXX線に沿った断面図である。
【図３１】 図２７のXXXIーXXXI線に沿った断面図である。
【図３２】本発明の他の実施例に係る取付け部の正面図である。
【図３３】本発明の他の実施例に係る取付け部の正面図である。
【符号の説明】
１０    シャーシ
１４    電気部品保持具
１６    取付け支持部
１８    孔
２０    孔
２４    保持部
２６    固定部
２８    支柱
４０    係合爪
４２    係合爪
４４    係合爪
１２６    固定部
１６０    取付け部
４１０    係合爪
【図１】
0003875747.tif 000002
【図２】
0003875747.tif 000003
【図３】
0003875747.tif 000004
【図４】
0003875747.tif 000005
【図５】
0003875747.tif 000006
【図６】
0003875747.tif 000007
【図７】
0003875747.tif 000008
【図８】
0003875747.tif 000009
【図９】
0003875747.tif 000010
【図１０】
0003875747.tif 000011
【図１１】
0003875747.tif 000012
【図１２】
0003875747.tif 000013
【図１３】
0003875747.tif 000014
【図１４】
0003875747.tif 000015
【図１５】
0003875747.tif 000016
【図１６】
0003875747.tif 000017
【図１７】
0003875747.tif 000018
【図１８】
0003875747.tif 000019
【図１９】
0003875747.tif 000020
【図２０】
0003875747.tif 000021
【図２１】
0003875747.tif 000022
【図２２】
0003875747.tif 000023
【図２３】
0003875747.tif 000024
【図２４】
0003875747.tif 000025
【図２５】
0003875747.tif 000026
【図２６】
0003875747.tif 000027
【図２７】
0003875747.tif 000028
【図２８】
0003875747.tif 000029
【図２９】
0003875747.tif 000030
【図３０】
0003875747.tif 000031
【図３１】
0003875747.tif 000032
【図３２】
0003875747.tif 000033
【図３３】
0003875747.tif 000034